(57)【特許請求の範囲】
【請求項１】
配電ユニットからデータを取り出すための装置であって、
配電ユニットであって、電力を供給するように構成された少なくとも１つの電源コンセント、および前記配電ユニットについての動作情報を提供するように構成された追跡回路機構を含む、配電ユニットと、
前記配電ユニット内に収容されるように構成されたモニタリングデバイスであって、プロセッサ、メモリ、およびディスプレイを含み、前記配電ユニットについての動作情報を得るために前記配電ユニットの前記追跡回路機構と結合されるように構成されるとともに前記動作情報を文字集合(character sets)のストリームに変換するように構成され、各文字集合が少なくとも１つの文字を含み、前記文字集合のストリームが、人間の目には検出できない周波数で個々の文字集合として前記ディスプレイ上に提示される、モニタリングデバイスと
を備える、装置。
【請求項２】
前記少なくとも１つの文字が、記号(symbol)、レター(letter)、数字、または１６進数字を含む、請求項１に記載の装置。
【請求項３】
前記装置が、モバイルデバイスを備え、前記モバイルデバイスのカメラデバイスが、前記ディスプレイ上の前記文字集合のストリームを読み取るように構成される、請求項１に記載の装置。
【請求項４】
前記モバイルデバイスが、前記モニタリングデバイスの前記ディスプレイ上の前記文字集合のストリームを、前記モバイルデバイスのディスプレイ上に提示される人間可読情報に変換するように構成される、請求項３に記載の装置。
【請求項５】
前記文字集合が、少なくとも２つの文字を含む、請求項１に記載の装置。
【請求項６】
前記文字集合が、１６進数字の４つの文字を含む、請求項１に記載の装置。
【請求項７】
前記動作情報が、デバイス識別情報、電圧、および電流を含む、請求項１に記載の装置。
【請求項８】
配電ユニットからデータを取り出すための装置であって、
配電ユニット内に収容されるように構成されたモニタリングデバイスであって、プロセッサ、メモリ、およびディスプレイを含み、前記配電ユニットについての動作情報を得るために前記配電ユニットの追跡回路機構と結合されるように構成されるとともに前記動作情報を文字集合のストリームに変換するように構成され、各文字集合が少なくとも１つの文字を含み、前記文字集合のストリームが、人間の目には検出できない周波数で前記ディスプレイ上に個々の文字集合として提示される、モニタリングデバイスを備える、装置。
【請求項９】
前記少なくとも１つの文字が、記号、レター、数字、または１６進数字を含む、請求項８に記載の装置。
【請求項１０】
前記装置がモバイルデバイスを備え、前記モバイルデバイスのカメラデバイスが、前記ディスプレイ上の前記文字集合のストリームを読み取るように構成される、請求項８に記載の装置。
【請求項１１】
前記モバイルデバイスが、前記モニタリングデバイスの前記ディスプレイ上の前記文字集合のストリームを、前記モバイルデバイスのディスプレイ上に提示される人間可読情報に変換するように構成される、請求項１０に記載の装置。
【請求項１２】
前記文字集合が、少なくとも２つの文字を含む、請求項８に記載の装置。
【請求項１３】
前記文字集合が、１６進数字の４つの文字を含む、請求項８に記載の装置。
【請求項１４】
前記動作情報が、デバイス識別情報、電圧、および電流を含む、請求項８に記載の装置。
【請求項１５】
前記モニタリングデバイスが、前記モニタリングデバイスの少なくとも１つの動作を制御するように構成された、少なくとも１つのインターフェースボタンをさらに含む、請求項８に記載の装置。
【請求項１６】
配電ユニットの追跡回路機構に結合されたモニタリングデバイスによって実行可能な、前記配電ユニットからデータを取り出すための方法であって、
前記配電ユニットの前記追跡回路機構から、前記配電ユニットの動作情報を含むデータを受信するステップと、
前記追跡回路機構からの前記データを文字集合のストリームに変換するステップと、
前記モニタリングデバイスのディスプレイ上に前記文字集合のストリームを提示するステップであって、前記文字集合のストリームが、人間の目には検出できない周波数で前記モニタリングデバイスの前記ディスプレイ上に個々の文字集合として提示される、ステップと、
を含む、方法。
【請求項１７】
前記文字集合のストリームの文字集合の各々が、少なくとも１つの文字を含み、前記少なくとも１つの文字が、記号、レター、数字、または１６進数字を含む、請求項１６に記載の方法。
【請求項１８】
モバイルデバイスのカメラデバイスが、前記ディスプレイ上の前記文字集合のストリームを読み取るように構成される、請求項１６に記載の方法。
【請求項１９】
前記モバイルデバイスが、前記モニタリングデバイスの前記ディスプレイ上の前記文字集合のストリームを、前記モバイルデバイスのディスプレイ上に提示される人間可読情報に変換するように構成される、請求項１８に記載の方法。
【請求項２０】
前記文字集合が、１６進数字の４つの文字を含む、請求項１６に記載の方法。
【発明の詳細な説明】
【技術分野】
【０００１】
[0001]本開示は、概して、電力配分の分野に関し、より詳細には、配電ユニットからデータを取り出すための方法および装置に関する。
【背景技術】
【０００２】
[0002]多くの電子デバイス、特にコンピュータおよびデータ記憶機器は、交流（ＡＣ：Ａｌｔｅｒｎａｔｉｎｇ  Ｃｕｒｒｅｎｔ）電源から電力が供給される。コンピュータおよびデータ記憶機器では、配電ユニット（ＰＤＵ：Ｐｏｗｅｒ  Ｄｉｓｔｒｉｂｕｔｉｏｎ  Ｕｎｉｔ）が通常採用される。典型的な配電ユニットは、現在の動作状態に関する情報を提供するための小さいディスプレイを含み得る。しかしながら、ディスプレイは、配電ユニットの動作状態に関連するデータを素早く取り出し分析するには小さすぎる。
【発明の概要】
【発明が解決しようとする課題】
【０００３】
本願発明の一実施例は、例えば、配電ユニットからデータを取り出すための方法および装置に関する。
【課題を解決するための手段】
【０００４】
[0003]したがって、本開示は、配電ユニットからデータを取り出すための方法および装置を対象とする。配電ユニットからデータを取り出すための装置は、配電ユニットの現在の動作状態を見ることを可能にするために、配電ユニットの追跡回路機構に結合され得る、プロセッサ、メモリ、およびディスプレイを含み得る。本開示の実施形態において、プロセッサは、配電ユニットの追跡回路機構からのデータを、モバイルデバイスによって解釈可能であるとともにモバイルデバイスによって人間可読情報に翻訳可能である、ディスプレイ上に提示される文字集合のストリームに変換するように構成され得る。
【０００５】
[0004]上記の「発明の概要」と下記の「発明を実施するための形態」の両方が、単に例示的かつ説明的なものであり、必ずしも本開示を限定するものではないということを理解されたい。本明細書に組み込まれ、それの一部を成す添付図面は、本開示の主題を示す。「発明を実施するための形態」と図面とは、合わせて本開示の原理を説明するのに役立つ。
【０００６】
[0005]以下の添付図面を参照することによって、当業者には、本開示の数多くの利点がよりよく理解されるであろう。
【図面の簡単な説明】
【０００７】
【図１】本開示の実施形態による、配電ユニットからデータを取り出すための方法のフロー図である。
【図２】本開示の実施形態による、配電ユニットからデータを取り出すための装置のブロック図である。
【図３】図３Ａは、本開示の実施形態による、配電ユニットからデータを取り出すための装置を示す図である。図３Ｂは、本開示の実施形態による、配電ユニットからデータを取り出すための装置を示す図である。図３Ｃは、本開示の実施形態による、配電ユニットからデータを取り出すための装置を示す図である。
【図４】図４Ａは、本開示の実施形態による、例示的な配電ユニット内に含まれる配電ユニットからデータを取り出すための装置を示す図である。図４Ｂは、本開示の実施形態による、例示的な配電ユニット内に含まれる配電ユニットからデータを取り出すための装置を示す図である。
【図５】本開示の実施形態による、配電ユニットからデータを取り出すための装置に近接している例示的なモバイルデバイスを示す図である。
【図６】図６Ａは、人間の目には検出できない周波数におけるモニタリングデバイスのディスプレイ上の個々の文字集合を解釈するためにモバイルデバイスのカメラデバイスを用いて実行されるように構成されたアプリケーションの例示的なスクリーンショットを示す図である。図６Ｂは、人間の目には検出できない周波数におけるモニタリングデバイスのディスプレイ上の個々の文字集合を解釈するためにモバイルデバイスのカメラデバイスを用いて実行されるように構成されたアプリケーションの例示的なスクリーンショットを示す図である。図６Ｃは、人間の目には検出できない周波数におけるモニタリングデバイスのディスプレイ上の個々の文字集合を解釈するためにモバイルデバイスのカメラデバイスを用いて実行されるように構成されたアプリケーションの例示的なスクリーンショットを示す図である。
【図７】本開示の実施形態による、配電ユニットの例示的な動作情報を含む、アプリケーションのスクリーンショットを示す図である。
【図８】本開示の代替的な実施形態による、配電ユニットの例示的な動作情報のアプリケーションのスクリーンショットを示す図である。
【図９】本開示の実施形態による、モニタリングデバイスからデータを読み取るためのガイド、および読み込みインジケータを含む、アプリケーションのスクリーンショットを示す図である。
【図１０】本開示の実施形態による、配電ユニットからデータを取り出すための装置を収容するための補助デバイスを示す図である。
【図１１】本開示の実施形態による、配電ユニットからデータ取り出す複数の装置を管理するためのシステムを示す図である。
【発明を実施するための形態】
【０００８】
[0006]次に、添付図面に示されている開示された主題を詳細に参照する。
[0007]本開示の実施形態が詳細に説明される前に、実施形態は、以下の「発明を実施するための形態」に述べられ、または図示される構造または機能の詳細により適用が限定されるものではないということを理解されたい。様々な実施形態が、様々に実施または行われることが可能であり得る。また、本明細書において使用される表現および用語が、説明目的によるものであり、限定的と見なされるべきではないことを理解されたい。本明細書における「ｉｎｃｌｕｄｉｎｇ（含む）」、「ｃｏｍｐｒｉｓｉｎｇ（備える）」、または「ｈａｖｉｎｇ（有する）」、およびそれらの変形形態などの用語の使用は、一般に、その後に挙げられる項目およびそれらの同等物と共に、追加の項目も網羅することを目的とする。さらに、特に断りのない限り、専門用語は、従来の用法に従って使用され得る。類似の参照番号が、同様の構成要素およびそれらの同等物を言い表し得ることがさらに企図される。
【０００９】
[0008]図１を参照すると、本開示の実施形態による、配電ユニットからデータを取り出すための方法１００のフロー図が示される。方法１００は、配電ユニットからデータを取り出す際、配電ユニットの追跡回路機構に結合されたモニタリングデバイスによって実行可能であり得る。方法１００は、配電ユニットの追跡回路機構からデータを受信することを含んでもよく、データが配電ユニット１１０の動作情報を含む。方法１００は、追跡回路機構からのデータを、文字集合のストリームに変換すること１２０を含み得る。各文字集合が、文字集合ごとに少なくとも１つの文字を含み得ることが企図される。方法１００は、モニタリングデバイスのディスプレイを介して文字集合のストリームを提示すること１３０をさらに含み得る。文字集合のストリームが、人間の目には検出できない周波数で、個々の文字集合としてディスプレイ上に提示されることが企図される。例えば、文字集合は、個々の文字集合が人間の目には検出できない周波数で個々に点滅され得る。例えば、文字集合のストリームは、少なくとも９ヘルツの周波数で点滅されてもよく、９〜１５ヘルツの周波数であってもよく、また１５ヘルツを超えてもよい。
【００１０】
[0009]図２を参照すると、本開示の実施形態による、配電ユニットからデータを取り出すための装置２００のブロック図が示される。配電ユニットからデータを取り出すための装置２００が、図１に示されるような配電ユニットからデータを取り出すための方法１００を実行するように構成されたモニタリングデバイスであり得ることが企図される。装置２００とモニタリングデバイスとが互換的に使用され得ることがさらに企図される。
【００１１】
[0010]装置２００は、プロセッサ２１０を含み得る。装置２００は、メモリ２２０およびディスプレイ２３０をさらに含み得る。プロセッサ２１０が、メモリ２２０などの非一時的コンピュータ可読媒体に格納される様々なソフトウェアアプリケーションまたはコンピュータコードを動かすように構成され得、また様々な命令または動作を実行するように構成され得ることが企図される。装置２００は、データ入力デバイス２４０をさらに含み得る。データ入力デバイスは、配電ユニットの追跡回路機構と結合し、それにより、配電ユニットの動作情報を含むデータが、プロセッサ２１０によって取り出され、処理され得るように構成され得る。データ入力デバイスが、追跡回路機構と着脱自在に接続され得ることが企図される。例えば、データ入力が、配電ユニットの追跡回路機構と結合されたケーブルまたは導線セットとの着脱自在な接続を可能にするためのコネクタを含み得ることが企図される。装置２００は、インターフェース２５０をさらに含み得る。インターフェース２５０は、他のデバイスと結合するための１つまたは複数のポートを含み得、装置２００の動作を制御するための１つまたは複数のボタンをさらに含み得る。ボタンは、ハードリセット、動的または静的表示の調整、表示の向きの調整などを含み得る。ディスプレイ２３０が、ユーザが装置２００とインターフェースで接続することをさらに可能にし得る、タッチスクリーンを含み得ることを理解されたい。これに加え、装置２００が、配電ユニット内に収容されるように構成され得るハウジングをさらに含み得ることが企図される。
【００１２】
[0011]ディスプレイ２３０は、発光ダイオード（ＬＥＤ：Ｌｉｇｈｔ  Ｅｍｉｔｔｉｎｇ  Ｄｉｏｄｅ）ディスプレイであり得ることが企図される。ＬＥＤディスプレイは、単数または複数の構成で配置され得る。いずれの色も利用され得る。ＬＥＤディスプレイは、普通の７セグメント、１４セグメント、およびドットマトリクスＬＥＤディスプレイモジュールを含み得る。
【００１３】
[0012]しかしながら、様々なタイプのディスプレイが実施可能であり得ることが企図される。例えば、事実上、いずれのビジュアルインターフェースも、人間の目には検出できない周波数でデータを伝送するように操作され得る。単にバイナリデータを提示するのに、１〜ｎ個のディスプレイがあることがある。例えば、一列に配置された７個のＬＥＤは、１２８個の独特の組み合わせをもたらし得る。液晶ディスプレイ（ＬＣＤ：Ｌｉｑｕｉｄ  Ｃｒｙｓｔａｌ  Ｄｉｓｐｌａｙ）テクノロジーは、例えば簡潔なＱＲコード（登録商標）を素早く表示し得るとともに、静的情報も表示し得る。液晶ディスプレイは、英数字、図式、またはドットマトリクススタイルとして配置され得る。ＬＣＤは、透過型（バックライト付き）、反射型（バックライト無し、可読性に対しては環境光に依拠する）、および半透過型（透過型テクノロジーと反射型テクノロジーとの組み合わせ）として使用可能であり得る。エレクトロルミネセンスディスプレイが採用されてもよい。エレクトロルミネセンスディスプレイは、コンパクトであり得、得られ得る珍しい幾何学的形状を含み得る。通常、エレクトロルミネセンスディスプレイは、ＬＣＤバックライトとして使用され得るが、ウエハ薄型エレクトロルミネセンスディスプレイパネルは、印象的な特注のディスプレイを生み出すように、珍しい形状にカットされ得る。真空蛍光ディスプレイが採用されてもよい。真空蛍光ディスプレイは、１つまたは複数の色において、高コントラストで明るい光を放ち得る。真空蛍光ディスプレイは、７セグメントの数字、複数セグメントの英数字を表示するように製造されてもよく、または、様々な英数字および記号を表示するようにドットマトリクスで作られてもよい。真空蛍光ディスプレイ用に表示され得る画像の形状に対する制限はほとんどなく、アノード上の蛍光体の形状にのみ左右され得る。
【００１４】
[0013]図３Ａ、３Ｂ、および３Ｃを参照すると、本開示の実施形態による、配電ユニットからデータを取り出すための装置２００が示される。インターフェース２５０が、装置２００の動作を制御するためのボタンを含み得、他のデバイスとの通信を可能にするための様々なポートを含み得ることが企図される。装置２００が、ディスプレイ２００を含み得ることがさらに企図される。ディスプレイ２３０は、様々なユーザのニーズに合わせるために、ほぼ水平方向またはほぼ垂直方向に向けられ得る。
【００１５】
[0014]図４Ａおよび４Ｂを参照すると、本開示の実施形態による、例示的な配電ユニット４１０内に収容される、配電ユニットからデータを取り出すための装置２００が示される。装置２００は、ディスプレイ２３０を含んでもよく、また配電ユニット４１０内に着脱自在に取付けおよび取替えされ得るハウジングを含んでもよい。配電ユニット４１０が、差し込み口すなわちコンセントに結合されたデバイスに電力を配分するための、少なくとも１つの差し込み口４１５、すなわちコンセントを含み得る、長い薄型ハウジングを含んでもよいことが企図される。配電ユニット４１０は、入力電力ケーブル（図示せず）を含んでもよい。配電ユニットの内部には、他の回路または差し込み口を絶縁し得る複数の継電器および／または回路遮断器が含まれてもよい。配電ユニット４１０は、配電ユニット４１０の様々な回路において使用可能な、シリアル番号、回路構成、コンセントカウント（ｏｕｔｌｅｔ  ｃｏｕｎｔ）、電圧、電流および電力など、配電ユニット４１０の動作状態を追跡し得る追跡回路機構をさらに含み得る。例えば、追跡回路機構は、アンペア、ボルト、ワット、ＶＡ、ｋＷｈｒを追跡するための、１つまたは複数のセンサおよび計器を含んでもよく、また温度、湿度、および接触状態などの環境データをさらに追跡することができる。追跡回路機構は、装置２００のデータ入力デバイス２４０に動作情報データを転送するために、１つまたは複数のセンサまたは計器に結合された、１つまたは複数のケーブルを含んでもよい。
【００１６】
[0015]図５を参照すると、本開示の実施形態による、配電ユニットからデータを取り出すための装置２００に近接している例示的なモバイルデバイス５００が示される。先に説明されたように、装置２００のディスプレイ２３０は、文字集合のストリームを提示するように構成され得る。文字集合のストリームは、人間の目には検出できない周波数で、個々の文字集合としてディスプレイ２３０上に提示され得る。例えば、文字集合は、個々の文字集合が人間の目には検出できない周波数で個々に点滅され得る。例えば、文字集合のストリームは、少なくとも９ヘルツの周波数で点滅されてもよく、９〜１５ヘルツの周波数でもよく、また１５ヘルツを超えてもよい。従来のディスプレイによって提供され得るものよりもはるかに多い情報が、より素早い間隔で配電ユニットから取得されるように、ディスプレイ２３０の限られたスペースから提示され得ることが有利である。
【００１７】
[0016]図５を参照すると、アプリケーションを作動させる一体型カメラデバイスを利用するモバイルデバイス５００が、個々の文字集合が人間の目には検出できない周波数で個々に点滅され得る文字集合を読み取るように構成され得ることが企図される。モバイルデバイス５００は、アプリケーションを通してカメラ特徴を採用し得、またディスプレイ２３０の出力を走査して、文字集合を、モバイルデバイス５００のディスプレイ５１０上に提示される人間可読情報に変換し得る。ディスプレイからの文字集合を解釈するためのアプリケーションが、１つまたは複数のモバイルコンピューティングデバイス（例えば、ｉＰｈｏｎｅ（登録商標）、Ａｎｄｒｏｉｄデバイス、タブレットなど）のプロセッサによって実行される、アプリと呼ばれることも多い、モバイルデバイスアプリケーションであり得ることが企図される。
【００１８】
[0017]図６Ａ、６Ｂ、および６Ｃを参照すると、人間の目には検出できない周波数におけるモニタリングデバイスのディスプレイ上の個々の文字集合を解釈するためにモバイルデバイスのカメラデバイスを用いて実行されるように構成されたアプリケーションの例示的なスクリーンショットが示される。特に図６Ａを参照すると、スクリーンショット６１０は、データベースにアクセスするためのアイコン６１２、および走査６１４を始めるためのアイコンを含み得る。アプリケーションが、現在の測定値と比較するのに使用され得る、配電ユニットの前の測定値についての情報を含み得る、基とされるデータベース、ローカルおよび／またはクラウドサーバを含み得ることが企図される。ローカルデータベース中の識別情報を含む動作情報の収集物は、キャビネットローカルデータロギングに、単純なキャビネットを提供し得る。それに加え、動作情報は、外部ソース（例えば、Ｅｘｃｅｌ）による操作のために、電子メールまたは他の転送過程を通して、ダウンロードされ得る。
【００１９】
[0018]図６Ａのスクリーンショット６１０の走査６１４の開始時、スクリーンショット６２０が、図６Ｂに示されるように開始され得る。スクリーンショット６２０は、装置２００のディスプレイ２３０上に提示される文字集合の取り込みを始めるための取り込みアイコン６２２を含み得る。スクリーンショット６２０は、モバイルデバイス５００のカメラデバイスによってその時に取り込まれるものの画像を示す、カメラ表示部６２４をさらに含み得る。ユーザが、モバイルデバイス５００を手に持つことができ、それにより、装置２００のディスプレイ２３０が、カメラ表示部６２４において見え得ることが企図される。ユーザが取り込みアイコン６２２を起動させた後、モバイルデバイスは、装置２００のディスプレイ２３０の文字集合を読み取ることを始め得る。取り込みアイコン６２２の起動を受けて、図６Ｃのスクリーンショット６３０が開始され得ることが企図される。スクリーンショット６３０は、カメラ表示部６２４を含み得、また読み取りの完了のパーセンテージを示し得る、読み取り完了アイコン６３２も含み得る。
【００２０】
[0019]図７を参照すると、本開示の実施形態による、配電ユニットの例示的な動作情報を含む、アプリケーションのスクリーンショット７００が示される。モバイルデバイス５００のプロセッサによって実行されるアプリケーションが、文字集合を解釈し得、また配電ユニットの動作情報を生成し得ることが企図される。動作情報は、電圧および電流情報と共に、タイムスタンプ、デバイス識別、ＩＰアドレスを含み得る。スクリーンショット７００は、データベース更新アイコン７１０および再走査アイコン７１２を含み得る。データベース更新アイコン７１０は、データベース内への動作情報の記録用記憶を開始し得る。再走査アイコン７１２は、別の走査を開始し得、図６Ｂのスクリーンショット６２０を開始して、走査を完了するための過程を繰り返し得る。データ取り込みが、集積エラーチェックアルゴリズムによって有効にされる場合のみ、スクリーンショット７００が、開始され得ることが企図される。例えば、集積エラーチェックアルゴリズムは、アプリケーションが、それが正しいとして有効にしたデータのみを表示し、したがって、誤りや抜けがデータベースに記憶されることを防ぎ得ることを確実にし得る。
【００２１】
[0020]図８を参照すると、本開示の代替的な実施形態による、配電ユニットの例示的な動作情報のアプリケーションのスクリーンショット８００が示される。モバイルデバイス５００のプロセッサによって実行されるアプリケーションが、文字集合を解釈し得、また配電ユニットの動作情報を生成し得ることが企図される。動作情報は、電圧および電流情報と共に、タイプスタンプ、デバイス識別、ＩＰアドレスを含み得る。動力消費、電力消費、および特定の遮断器の情報が提示されることがさらに企図される。スクリーンショット８００は、再走査アイコン７１２を含み得る。スクリーンショット８００は、ちょうど読み取られた動作情報を含む、電子メールメッセージが所望のアドレスに送信されることを開始し得る、電子メールによる送信アイコン８１０をさらに含み得る。
【００２２】
[0021]図９を参照すると、本開示の実施形態による、モニタリングデバイスからデータを読み取るためのガイド、および読み込みインジケータを含む、アプリケーションのスクリーンショット９００が示される。スクリーンショット９００は、モバイルデバイス５００のカメラデバイスによってその時に取り込まれるものの画像を示す、カメラ表示部６２４を含み得る。スクリーンショット９００は、走査を終わらせ得る取り消しアイコン９１０をさらに含み得る。図９に示されるように、カメラ表示部６２４が、装置２００のディスプレイ２３０の文字集合を読み取るのに、ユーザを補助するためのガイドを含み得ることが企図される。一実施形態において、ガイドは、２本の線を指し得、それにより、文字集合が、２本の線内に置かれるはずである。他のタイプのガイドは、ユーザが装置２００のディスプレイ２３０の文字集合をより容易に取り込むことを可能にするための、透明であるが強調された範囲を含み得る。カメラ表示部６２４が、ユーザ用に、ディスプレイ２３０のデータ取り込みをより素早く高めるための露出調整およびズーム調整を含む制御アイコンを、表示上に含み得ることがさらに企図される。成功裏に取り込まれたデータのパーセンテージ（０％〜１００％）を示す滑動ダイヤルが採用され得ることも企図される。モバイルデバイス５００の向き、露出調整、またはズーム調整を調整して、走査速度および精度を高めることをユーザに可能にさせるのに、取り込み精度が不十分である場合、この目盛りが増減され得る。
【００２３】
[0022]図１０を参照すると、本開示の実施形態による、配電ユニットからデータを取り出すための装置２００を収容するための補助デバイス１０００が示される。補助デバイス１０００は、コンピュータまたはサーバラック内に容易に取り付けられ得、また装置２００が、配電ユニットと結合されるのを可能にし得る。ユーザが装置２００の使用を望むが、配電ユニットが、装置２００を格納するためのスペースを含むことができないときに、補助デバイス１０００が採用され得ることが企図される。
【００２４】
[0023]装置２００のディスプレイ２３０は、少なくとも１つの文字を含む各々の文字集合を提示するように構成され得ることが企図されるが、ある周波数で個々の文字集合としてディスプレイ２３０上に提示される文字集合のストリームは、人間の目には検出できないことがある。しかしながら、ディスプレイ２３０が、人間の目に見えるデータを提示するようにさらに構成され得ることが企図される。ディスプレイ２３０は、人間の目には検出できないことがある周波数で、個々の文字集合を提示するようにさらに構成され得る。それに加え、ディスプレイ２３０は、主ストリームおよび副次ストリームなど、２つの独立しているが並行であるストリームにおいて、文字を提示し得る。主ストリームのリフレッシュレートおよび継続率は、それらが、人間の目に分かるようなものであり、副次ストリームのリフレッシュレートおよび継続率は、人間の目には検出できないことがある周波数における個々の文字集合の提示であり得る。
【００２５】
[0024]文字集合の文字が、記号、レター（ｌｅｔｔｅｒ）、数字、または１６進数字を含み得ることが企図される。考えられるコーデックの例は、各文字対が、１バイトのデータに相当し得るように、１６進数字（０〜９、Ａ〜Ｆ）を表示するものである。一実施形態において、文字集合は、４桁の１６進数字を含み、それにより、それぞれの個々の文字集合は、２バイトのデータを提供し得る。したがって、４桁の１６進数字の例における８０バイトデータストリームが、４０個の個々の文字集合を使用し得ることが企図される。１６進数字を使用することの現時点での利点は、Ｇｏｏｇｌｅ  ＡｎｄｒｏｉｄやＡｐｐｌｅ  ｉＯＳなどの現在のモバイルデバイスオペレーティングシステムが、ベースオペレーティングシステムに内蔵されたテキスト認識を有するので、表示をデータストリームに解釈するのに、追加の精巧なコンピュータビジョンプログラミングまたは第三者ソフトウェアが必要ではないであろうという点である。しかしながら、これらは、カメラ画像を処理するのにより多くの特注の復号手法を採用し得るが、より高いデータ圧縮をもたらし得る、７セグメントの各発光ダイオード（ＬＥＤ）を使用して、他のコーデックが考えられ得る。
【００２６】
[0025]文字集合の周波数は、モバイルデバイス５００の画像取り込みハードウェアの能力のみによって制限され得る。現時点で使用可能なほとんどの標準モバイルデバイスハードウェアが、少なくとも１５ヘルツの周波数で文字集合を取り込むことが可能であり得、そこでは、４０個の文字集合の全データ取り込みが、３秒かからずに達成され得る、ことが企図される。多くの現在のモバイルデバイスが、１秒かからずに取り込まれることが可能である４０個の文字集合の場合、はるかに高い周波数を達成することが可能であり得る、ことが企図される。モバイルデバイスカメラの性能が上がるにつれて、取り込み時間が短縮され得る。
【００２７】
[0026]例示的なデータセットが８０バイトを含み得ることが企図される。本開示の実施形態において、データセットおよび例示的な動作情報の内訳は、以下を含み得る：
フレーム同期
フレーム定義（データセットにおいていくつかの文字集合を提供し得る）
デバイス識別（シリアル番号およびコンセントカウントを提供し得る）
ＩＰアドレス
入力回路（最高３個）：
ボルト
アンペア
ワット
ボルト−アンペア
エネルギー：５バイト（整数ｋＷＨｒ）
巡回冗長検査データ
[0027]例示的なデータ配分下では、３つの回路すべてが伝送される場合、総データセットが、８０バイトのデータを含み得ることが企図される。文字当たり１バイトである場合、４つの同時に表示された文字は、２０個の文字集合を採用し得る。ナイキスト標本化定理は、２倍の表示周期速度におけるデータ取り込みを必要とすることがある。例えば、１５ヘルツ周波数は、ほとんどの現在のモバイルデバイスにある、３０ｆｐｓカメラデバイスを必要とすることがあり、２秒未満の総取り込み時間をもたらす。
【００２８】
[0028]デバイス識別に加え、配電ユニットに関係するメタタグが、機能、位置、アプリケーション、給電、および顧客など、様々な事象、活動、または動作に関連付けられることが可能にされ得ることが企図される。各配電ユニットは、それに割り合てられた複数のメタタグを有し得、したがって、各配電ユニットは、複数の走査およびスケジュールされた更新に関連付けられ得る。セキュアな走査モードが有効にされ得、それにより、管理者が指定の係員のみによって走査され得る、特定の配電ユニットを構成し得ることがさらに企図される。
【００２９】
[0029]モバイルデバイス５００上で実行されるアプリケーションが、アプリ内データベースであり得る、データベースを用いて動作し得ることが企図される。各配電ユニットは、シリアル番号を介して同定され得、新規のデータポイントが、ログ記録され、記憶され得るか、または新規のデバイスが加えられ得る。ユーザ定義のフィールドが使用可能であり得ることが企図される。アプリケーション構成は、インポート／エクスポートデータベースによってｉＯＳおよびＡｎｄｒｏｉｄデバイス両方の中を自由に移動し得る。このことは、あるユーザが、所望のデータベースをセットアップし、次に、それを任意の個数の対応モバイルデバイスに複製することを可能にする。これに加え、アプリは、電子メールメッセージを通して、またはクラウドベースのサーバに、コンマ区切り値（ＣＳＶ：Ｃｏｍｍａ−Ｓｅｐａｒａｔｅｄ  Ｖａｌｕｅ）を介して、図式で表し、エクスポートするように構成され得る。
【００３０】
[0030]配電ユニット用の例示的なデータ収集物は、以下を含み得る：
１．ユーザフィールドに基づく集計（例えば、行当たりの総ｋＷｈ）
２．識別デバイスごとの設定閾値
３．設定グローバル閾値
４．ローカルアラーム
５．遠隔警報（ＳＭＳ／電子メール）
６．リマインダ
７．ワークフロー
８．ＧＰＳおよびｉＢｅａｃｏｎを介したデバイス測位
[0031]上の「発明を実施するための形態」および図面は、装置２００からモバイルデバイス５００への可視光通信の方法および装置を説明したが、装置２００が、可視光通信を受信するようにも構成され得ることが企図される。ゼロ接触手法（ｚｅｒｏ  ｃｏｎｔａｃｔ  ａｐｐｒｏａｃｈ）を維持しながら、モバイルデバイス５００を用いて、全二重通信が実施され得ることが企図される。装置２００は、感光素子、光センサを含み得、それにより、モバイルデバイス５００は、可視光通信を介して装置２００にデータを送信するように構成され得る。モバイルデバイス５００が、それのディスプレイを通して、モバイルデバイス５００に結合された周辺構成要素を通して、またはモバイルデバイス５００の一体式フラッシュを通して、可視光通信用に構成され得ることが企図される。
【００３１】
[0032]図１１を参照すると、本開示の実施形態による、配電ユニットからデータを取り出す複数の装置２００Ａ、２００Ｂを管理するためのシステム１１００が示される。装置２００Ａ、２００Ｂは、モニタリングデバイスと呼ばれることもあり、先に装置２００として説明された複数のデバイスを指し得る。システム１１００は、クラウドベースのアプリケーション１１２０を含み得るサーバデバイス１１１０を含み得る。クラウドベースのサーバデバイス１１１０上に実装されたクラウドベースのアプリケーション１１２０は、複数の装置２００Ａ、２００Ｂ、およびそれらのそれぞれの配電ユニットの管理を容易にする、様々なインターフェースを提供し得る。それに加え、クラウドベースのサーバデバイス１１１０上に実装されたクラウドベースのアプリケーション１１２０は、各配電ユニットについての動作情報を維持し得るデータベースを介して、クラウドベースのデータ記憶域にインターフェースを提供し得る。
【００３２】
[0033]サーバデバイス１１１０は、モバイルデバイス５００の内蔵無線能力を使用して、クラウドベースのネットワーク１１３０（例えば、インターネット）を介して、モバイルデバイス５００と通信するように構成され得る。サーバデバイス１１１０とモバイルデバイス５００との間に、セキュアな接続が確立され、有効にされると、装置２００Ａ、２００Ｂを介した様々な配電ユニットについての動作情報が、クラウドベースのサーバデバイス１１１０（例えば、Ｗｅｂブラウザ、またはモバイルデバイス５００上に実装されたアプリケーションに渡ってアクセス可能なＷｅｂサーバ）に常駐するクラウドベースのデータベースに転送され得る。クラウドベースのサーバデバイス１１１０は、モバイルデバイス５００、および／またはラップトップもしくはディスクトップコンピュータなどの１つまたは複数の追加のネットワークデバイスによってアクセス可能な少なくとも１つのクラウドベースのアプリケーション１１２０を実装し得る。
【００３３】
[0034]実施形態例において、Ｗｅｂブラウザソフトウェアを通して、ユーザは、コンピュータを使用して、クラウドベースのサービスにログオンし（例えば、クラウドベースのサーバデバイス１１１０と通信するコンピュータに常駐するＷｅｂブラウザソフトウェアによって）、クラウドベースのアプリケーション１１２０にアクセスすることができる。クラウドベースのアプリケーション１１２０にログインした後、ユーザは、クラウドベースのサーバデバイス１１１０上にファイルを作成、編集、保存、また削除し得、ユーザの好みおよび／またはシステム設定など、様々な選択肢を確立（セットアップ）、または変更／編集し得、かつ／または、ソフトウェア（例えば、オペレーティングシステムまたは他のソフトウェア）またはソフトウェア更新、様々なデータファイルもしくはメディアファイル、ユーザの好みおよび／またはシステム設定、ならびにクラウドベースのサーバデバイス１１１０に予め記憶されている他の情報を、クラウドベースのサーバデバイス１１１０上で動くクラウドベースのアプリケーション１１２０を介して、受信するかまたはダウンロードし得る。
【００３４】
[0035]サーバデバイス１１１０オペレーティングのクラウドベースのアプリケーション１１２０が、モバイルデバイス５００の位置をモニタし、ワークフロー管理を改善し得ることが企図される。システム要件および個々人のその時の位置に基づき、係員が向けられ、優先順位が決められ得る。モバイルデバイス５００は、モバイルデバイス５００の座標を、装置２００Ａ、２００Ｂからの動作情報の受信に同時に関連付けるように、リアルタイム位置測位サービス（ＲＴＬＳ：Ｒｅａｌ  Ｔｉｍｅ  Ｌｏｃａｔｉｏｎ  Ｓｅｒｖｉｃｅ）を実施し得る。ＲＴＬＳは、ＧＰＳ、無線ＬＡＮ、セルラサービス、無線周波数識別、および赤外線信号を含むが、それらに限定されない、任意の使用可能な「標準ベースの」位置測位サービスプラットフォームの使用を通して実施され得る。特に構内の使用に、他の追加の位置特定機構も採用され得ることが企図される。クラウドベースのサーバデバイス１１１０上のデータの位置認識および維持は、様々な位置におけるエネルギーコストをモニタし、それについて報告し得る。顧客の課金情報を導出するのに、エネルギー単位（ｋＷｈ）当たりのコストも維持され得る。
【００３５】
[0036]システム１１００が、本開示の実施形態による、配電ユニットからデータを取り出す複数の装置２００Ａ、２００Ｂの管理に対応するために、様々なモードで動作するように構成され得ることが企図される。例えば、特定の製品が割り当てられ得、位置が維持され得る。モバイルデバイス５００上で実行可能なアプリは、仕様、電力供給、位置、アプリケーション、顧客詳細など、デバイス、それの位置、およびそれの有無のセットアップ用の説明書を提供し得る。モバイルデバイス５００上で実行可能なアプリは、あらゆるユニット、およびユニットが再走査／更新されることを必要とする、時間枠を追跡し続け得る。アプリはさらに、更新が必要である配電ユニット、および更新されていないユニットの位置を、ユーザに思い出させ得る。アプリケーションが、動作情報を使用して、配電ユニット遮断器／位相、ラック、列、ホールなどによる位相負荷利用を得ることができることがさらに企図される。配電ユニットの設定および構成の詳細の記憶を通して、取替えおよび再構成が改善され得る。
【００３６】
[0037]図１〜１１に関して示され、説明された、配電ユニットからデータを取り出すための方法および装置が、ユーザにいくつかの利点を与え得ることが企図される。利点は、単純なディスプレイを使用してローカルに使用可能にされ得るよりもはるかに多くの情報の提示を含み得る。図７および８に示された、エンドユーザ提示は、より費用が掛かり、また配電ユニット上のかなり広い面スペースを使用する、大型ローカルディスプレイを必要とすることなく、よりよく提示され得る。また、モバイルデバイス５００は、何の複雑な要件もなく、装置２００と対にされ得、Ｂｌｕｅｔｏｏｔｈ（登録商標）またはＥｔｈｅｒｎｅｔの接続性も必要とされないであろう。
【００３７】
[0038]図１〜１１に関して示され、説明された、配電ユニットからデータを取り出すための方法および装置が、配電ユニットの製造者にも、いくつかの利点を与え得ることが企図される。これらの利点は、配電ユニット上に位置する、より大型で、より機能豊富なディスプレイを開発する必要を回避することを含み得る。配電ユニットに関連付けられたすべての情報（ＩＰアドレス、シリアル番号、およびすべての動力情報など）が伝送され得るので、今後の発展の可能性は非常に高くなり得る。それに加え、装置２００は、ネットワークエアギャップ提供の業界用語を指し得る、エアギャッピングを提供するように構成され得る。ネットワークエアギャップは、製品またはネットワーク間の物理的な隔離を可能にし得る。真の物理的な隔離は、エアギャップを維持することを必要とすることがあり、半二重および全二重構成における可視光通信の使用は、データが、制御されたエアギャップを介して、一方のネットワークからもう一方のネットワークに渡ることを可能にする。ファイアウォール、暗号化システムなどを超えて外側から機器を効果的に隔離することによりセキュリティを高める装置２００によってサポートされる可視光通信。
【００３８】
[0039]上記の「発明の概要」およびそれに続く「発明を実施するための形態」の両方が、単に例示的かつ説明的なものであり、本開示を必ずしも制限するものではないことを理解されたい。本明細書に組み込まれ、それの一部を成す添付図面は、本開示の主題を示す。「発明を実施するための形態」と図面とは、合わせて本開示の原理を説明するのに役立つ。
【００３９】
[0040]本開示の上の書面による明細が、現時点でそれの最良形態と考えられるものを作り、使用することを当業者に可能にさせる一方、当業者は、本明細書における特定の実施形態、方法、および例の変形形態、組み合わせ、および同等物の存在を理解、認識するであろう。本開示は、したがって、上に説明された実施形態、方法、および例によって限定されるべきではなく、本開示の範囲および趣旨内のすべての実施形態および方法によって限定されるべきである。
【００４０】
[0041]本開示において、開示された方法、動作、および／または機能性は、デバイスによって読み取り可能な命令セットまたはソフトウェアとして実装され得る。さらに、開示された方法、動作、および／または機能性におけるステップの特定の順序または階層は、例示的な手法の例であることが理解される。デザインの好みに基づき、方法、動作、および／または機能性におけるステップの特定の順序または階層が、開示された主題内に留まりつつ、並べ替えられ得ることが理解される。
【００４１】
[0042]本開示の実施形態、およびそれの付随する利点のうちの多くが、上の「発明を実施するための形態」によって理解されると考えられ、本開示の範囲を逸脱することなく、またはそれの物的利点のすべてを犠牲にすることなく、それの構成要素の形態、組立、および配置において、様々な変更がなされ得ることが明らかであろう。先に説明された本明細書における形態は、単に、それの説明的な実施形態である。
【図１】
0006793714.tif 000002
【図２】
0006793714.tif 000003
【図３Ａ】
0006793714.tif 000004
【図３Ｂ】
0006793714.tif 000005
【図３Ｃ】
0006793714.tif 000006
【図４Ａ】
0006793714.tif 000007
【図４Ｂ】
0006793714.tif 000008
【図５】
0006793714.tif 000009
【図６Ａ】
0006793714.tif 000010
【図６Ｂ】
0006793714.tif 000011
【図６Ｃ】
0006793714.tif 000012
【図７】
0006793714.tif 000013
【図８】
0006793714.tif 000014
【図９】
0006793714.tif 000015
【図１０】
0006793714.tif 000016
【図１１】
0006793714.tif 000017